(57)【要約】【課題】  衛生用品以外のゴミなどを投入することを抑制する機能、および投入された衛生用品に関するデータ収集機能を備えた衛生用品収納装置を提供する。【解決手段】  投入口からユーザが投入した使用済みの衛生用品をパッケージして収納部へ収納する衛生用品収納装置である。衛生用品を投入しようとするユーザへ所定の表示をする表示手段と、投入口からユーザが投入した前記衛生用品の数をカウントする投入数カウント手段と、その投入数カウント手段がカウントした数に基づいてパッケージ処理のために装備された消耗品の残量を算出する残量算出手段と、その残量算出手段が算出した残量を前記の衛生用品収納装置の管理者に係る管理者端末へ送信する残量送信手段と、を備える。投入された衛生用品の重量を検出する重量センサと、その重量センサによって検出された重量データを所定の端末へ送信する重量データ送信手段と、を備えてもよい。【選択図】  図１
2015151240.tif 000002
【特許請求の範囲】
【請求項１】
投入口からユーザが投入した使用済みの衛生用品をパッケージして収納部へ収納する衛生用品収納装置であって、
前記衛生用品を投入しようとするユーザへ所定の表示をする表示手段と、
前記の投入口からユーザが投入した前記衛生用品の数をカウントする投入数カウント手段と、
前記投入数カウント手段がカウントした数に基づいてパッケージ処理のために装備された消耗品の残量を算出する残量算出手段と、
前記残量算出手段が算出した残量を所定の端末へ送信する残量送信手段と、
を備えた衛生用品収納装置。
【請求項２】
前記投入数カウント手段は、前記投入口に配置された前記衛生用品の投入口の通過を検知する検出センサを含む請求項１に記載の衛生用品収納装置。
【請求項３】
投入された前記衛生用品に予め設けられた識別子を読み取る読み取り装置と、
前記読み取り装置によって読み取った識別子データを所定の端末へ送信する識別子データ送信手段とを、さらに備えた請求項１または請求項２のいずれかに記載の衛生用品収納装置。
【請求項４】
投入された衛生用品の重量を検出する重量センサと、
前記重量センサによって検出された重量データを所定の端末へ送信する重量データ送信手段とを、さらに備えた請求項１から請求項３のいずれかに記載の衛生用品収納装置。
【請求項５】
前記重量センサによって検出された重量データが使用済みの衛生用品の重量として適正重量であるか否かを判断する重量判断手段を備え、
前記重量判断手段による判断結果が適正重量ではない場合に前記の表示手段へ警告データを表示させることとした請求項４に記載の衛生用品収納装置。
【請求項６】
投入口からユーザが投入した使用済みの衛生用品をパッケージして収納部へ収納する衛生用品収納装置を制御する制御プログラムであって、
その制御プログラムは、
前記衛生用品を投入しようとするユーザへ所定の表示を表示手段へさせる表示手順と、
前記の投入口からユーザが投入した前記衛生用品の数をカウントする投入数カウント手順と、
前記投入数カウント手順にてカウントした数に基づいてパッケージ処理のために装備された消耗品の残量を算出する残量算出手順と、
前記残量算出手順にて算出した残量を所定の端末へ送信する残量送信手順と、
を衛生用品収納装置の制御部に実行させることとしたコンピュータプログラム。
【請求項７】
投入された前記衛生用品に予め設けられた識別子を読み取り装置によって読み取る読み取り手順と、
前記読み取り手順にて読み取った識別子データを所定の端末へ送信する識別子データ送信手順と、
を衛生用品収納装置の制御部に実行させることとした請求項６に記載のコンピュータプログラム。
【請求項８】
重量センサによって検出される投入された前記衛生用品の重量データを所定の端末へ送信する重量データ送信手順を、衛生用品収納装置の制御部に実行させることとした請求項６または請求項７のいずれかに記載のコンピュータプログラム。
【請求項９】
前記重量センサにて計測したゴミが適正重量であるか否かを判断する重量判断手順と、
前記重量判断手順にて判断した結果が適正重量ではない場合には前記の表示手段には警告データを表示させる警告表示手順と、を衛生用品収納装置の制御部に実行させることとした請求項８に記載のコンピュータプログラム。
【発明の詳細な説明】
【技術分野】
【０００１】
本発明は、使用済みの衛生用品を密封するパッケージ装置を備えた衛生用品収納装置、およびその衛生用品収納装置を制御するコンピュータプログラムの技術に関する。
【背景技術】
【０００２】
特許文献１には、臭いを発生させるゴミ、具体的には使用済みのオムツや生理用品などに対して、フィルムにてパッケージを施した後に収納する、というパッケージ装置を備えたゴミ箱が開示されている。
【０００３】
パッケージしてしまうことで臭いの発生を抑制できるだけでなく、雑菌の繁殖源に対する外気の供給を絶ってしまうので、雑菌繁殖を抑制することにも寄与している。
【先行技術文献】
【特許文献】
【０００４】
【特許文献１】特許第３９２３０６８号公報
【発明の概要】
【発明が解決しようとする課題】
【０００５】
さて、特許文献１に開示されたゴミ箱には、衛生用品ではない通常のゴミなどを投入する人も少なくない。使用済みの衛生用品ではない物が投入されると、パッケージなどの消耗品が無駄になる。また、金属品やプラスチック品などが投入されると装置故障の原因ともなる。
【０００６】
オムツや生理用品といった衛生用品の製造メーカとしては、自らが提供している衛生用品を更に良くするため、日々研究している。しかし、ユーザがどのように（捨てるまでの間に）使用しているか、というデータは十分に収集できているとはいえない。
【０００７】
本発明は、衛生用品収納装置について、衛生用品以外のゴミなどを投入することを抑制する機能、および投入された衛生用品に関するデータ収集機能を備えた技術を提供することにある。
【課題を解決するための手段】
【０００８】
（第一の発明）
第一の発明は、投入口からユーザが投入した使用済みの衛生用品をパッケージして収納部へ収納する衛生用品収納装置に係る。
すなわち、前記衛生用品を投入しようとするユーザへ所定の表示をする表示手段と、前記の投入口からユーザが投入した前記衛生用品の数をカウントする投入数カウント手段と、前記投入数カウント手段がカウントした数に基づいてパッケージ処理のために装備された消耗品の残量を算出する残量算出手段と、前記残量算出手段が算出した残量を所定の端末へ送信する残量送信手段と、を備える。
【０００９】
（用語説明）
「衛生用品」とは、女性が使う生理用品、乳幼児や高齢者が使う使い捨てタイプのおむつ、などである。
「所定の表示」とは、衛生用品収納装置の使用方法、投入に関する注意事項、衛生用品に関する広告などである。
「表示手段」とは、液晶モニタ、音声を発するスピーカ、それらの組み合わせなどである。
「投入数カウント手段」とは、投入された使用済みの衛生用品の数をカウントする手段であり、投入口から投入された衛生用品を検出する検出センサを含み、この検出センサの検出回数をカウントする手段である。
【００１０】
（作用）
使用済みの衛生用品を投入しようとするユーザに対して、表示手段が使用方法などの所定の表示をする。ユーザが投入口から投入した衛生用品の数を投入数カウント手段がカウントする。投入数カウント手段がカウントした数に基づいてパッケージ処理のために装備された消耗品の残量を残量算出手段が算出する。その残量算出手段が算出した残量を、残量送信手段が所定の端末（コンピュータ）へ、例えば、衛生用品収納装置の管理者に係る管理者端末（コンピュータ）へ送信する。
管理者は、管理者端末を介して消耗品の残量を把握することができ、補充のタイミングを予測する。なお、管理者端末以外の端末としては、例えば、消耗品の供給元の業者の端末を挙げることができ、当該業者は残量データを受信したならば、直接、補充品を管理者に届けることができる。
【００１１】
（第一の発明のバリエーション１）
第一の発明における投入数カウント手段は、前記投入口に配置された前記衛生用品の投入口の通過を検知する検出センサを含むことができる。
ここで「検出センサ」とは、たとえば、光センサ、重量センサなどであり、投入された使用済みの衛生用品が投入口を通過したことを検知し、衛生用品の通過を検知すると、衛生用品収納装置のモータを駆動させる。これにより、使用済み衛生用品はパッケージ装置のフィルムによってパッケージされる。
【００１２】
（第一の発明のバリエーション２）
第一の発明は、投入された前記衛生用品に予め設けられた識別子を読み取る読み取り装置と、前記読み取り装置によって読み取った識別子データを所定の端末へ送信する識別子データ送信手段とを、さらに備えることとしてもよい。
【００１３】
（用語説明）
「識別子」とは、安価なものとして、たとえばバーコード、ＱＲコード（登録商標）などである。このほか、ＩＣチップ、トランスポンダなども可能である。
「読み取り装置」は、上記各識別子に係るデータを読み取ることができる装置であり、たとえば識別子がバーコードであれば、バーコードリーダということになる。識別子データとしては、当該衛生用品の製造メーカ、製品の種類（サイズ、グレード、製造年月日等）などである。
識別子データが送信される「所定の端末」とは、識別子データを蓄積するためのデータベース、あるいはその識別子データを分析する演算装置を備えた端末（コンピュータ）であり、例えば、衛生用品収納装置の管理者に管理されている管理者端末（コンピュータ）、表示手段に広告表示を依頼した広告主に管理されている広告主端末（コンピュータ）、衛生用品の製造メーカに管理されている端末（コンピュータ）等である。
【００１４】
（作用）
投入された前記衛生用品に予め設けられた識別子を、読み取り装置が読み取る。その読み取り装置によって読み取った識別子データは、識別子データ送信手段が所定の端末へ送信する。これによって、所定の端末において、識別子データを蓄積することができる。
【００１５】
（第一の発明のバリエーション３）
第一の発明は、投入された前記衛生用品の重量を検出する重量センサと、前記重量センサによって検出された重量データを所定の端末へ送信する重量データ送信手段とを、さらに備えることとしてもよい。
【００１６】
（用語説明）
「重量センサ」は、上記のように、投入口の通過を検知する検出センサとして用いることができる。
重量データが送信される「所定の端末」とは、重量データを蓄積するためのデータベース、あるいはその重量データを分析する演算装置を備えた端末である。上記と同様、衛生用品収納装置の管理者に管理されている管理者端末（コンピュータ）、表示手段に広告表示を依頼した広告主に管理されている広告主端末（コンピュータ）、衛生用品の製造メーカに管理されている端末（コンピュータ）等である。
【００１７】
（作用）
重量センサが投入された前記衛生用品の重量を検出する。その重量センサによって検出された重量データを、重量データ送信手段が所定の端末へ送信する。これによって、所定の端末において、衛生用品の重量データを蓄積することができる。
【００１８】
（第一の発明のバリエーション４）
第一の発明における前記バリエーション３は、以下のようにすると好ましい。
すなわち、前記重量センサによって検出された重量データが使用済みの衛生用品の重量として適正重量であるか否かを判断する重量判断手段を備え、前記重量判断手段による判断結果が適正重量ではない場合に前記の表示手段に対して警告データを表示させることとするのである。
【００１９】
（用語説明）
「重量判断手段による判断結果が適正重量ではない場合」とは、投入口から投入されたものが「使用済みの衛生用品」以外の異物、たとえば他のゴミ、不燃性の金属、プラスチック製品などで、「使用済み衛生用品」の設定した適正重量の範囲を逸脱するものである。
「警告データ」とは、「使用済みの衛生用品ではない異物を投入しないで欲しい」といった要請画面の表示、「使用済みの衛生用品ではない異物を投入したことに対する警告音」などである。
【００２０】
（作用）
重量判断手段が、重量センサによって検出された重量データが使用済みの衛生用品の重量として適正重量であるか否かを判断する。その重量判断手段による判断結果が適正重量ではない場合には、表示手段が警告データを表示し、投入者に対して警告する。結果として、使用済みの衛生用品以外のものが投入される事態を抑制することに寄与する。
【００２１】
（第二の発明）
第二の発明は、投入口から投入した使用済みの衛生用品をパッケージして収納部へ収納する衛生用品収納装置を制御する制御プログラムに係る。
その制御プログラムは、前記衛生用品を投入しようとするユーザへ所定の表示を表示手段へさせる表示手順と、前記の投入口からユーザが投入した前記衛生用品の数をカウントする投入数カウント手順と、前記投入数カウント手順にてカウントした数に基づいてパッケージ処理のために装備された消耗品の残量を算出する残量算出手順と、前記残量算出手順にて算出した残量を所定の端末へ送信する残量送信手順と、を衛生用品収納装置の制御部に実行させることとしたコンピュータプログラムである。
【００２２】
（第二の発明のバリエーション１）
第二の発明は、投入された前記衛生用品に予め設けられた識別子を読み取り装置によって読み取る読み取り手順と、前記読み取り手順にて読み取った識別子データを所定の端末へ送信する識別子データ送信手順と、を衛生用品収納装置の制御部に実行させるコンピュータプログラムとしてもよい。
【００２３】
（第二の発明のバリエーション２）
第二の発明は、重量センサによって検出される投入された前記衛生用品の重量データを所定の端末へ送信する重量データ送信手順を、衛生用品収納装置の制御部に実行させることとしたコンピュータプログラムとしてもよい。
【００２４】
（第二の発明のバリエーション３）
第二の発明は、前記重量センサにて計測したゴミが適正重量であるか否かを判断する重量判断手順と、
前記重量判断手順にて判断した結果が適正重量ではない場合には前記の表示手段には警告データを表示させる警告表示手順と、を衛生用品収納装置の制御部に実行させることとしたコンピュータプログラムとしてもよい。
【００２５】
（第二の発明の提供形態）
第二の発明に係るコンピュータプログラムは、記録媒体（ハードディスクや記録メディア）に格納して提供することもできるし、通信インフラを介して衛生用品収納装置の制御部や衛生用品収納装置の管理者端末へインストールすることもできる。
【発明の効果】
【００２６】
第一の発明によれば、衛生用品以外のゴミなどを投入することを抑制する機能、および投入された衛生用品に関するデータ収集機能を備えた衛生用品収納装置を提供することができた。
第二の発明によれば、衛生用品以外のゴミなどを投入することを抑制する機能、および投入された衛生用品に関するデータ収集機能を備えた衛生用品収納装置の制御プログラムを提供することができた。
【図面の簡単な説明】
【００２７】
【図１】本発明に係る第一の実施形態を示す概念図である。
【図２】本発明に係る第二の実施形態を示す概念図である。
【図３】本発明に係る第三の実施形態を示す概念図である。
【図４】本発明に係る第四の実施形態を示す概念図である。
【図５】本発明に係る実施形態によって得られたデータの活用例を示す概念図である。
【図６】本発明の上記各実施形態で用いた衛生用品収納装置の構成を示した図である。
【図７】衛生用品収納装置を構成するパッケージ装置と収容部の内部構造を示した図である。
【図８】パッケージ装置の主要部の構造を示す斜視図である。
【図９】パッケージ装置の主要部の構造を示す側面図である。
【発明を実施するための形態】
【００２８】
本発明について、実施形態および図面を用いて更に詳しく説明する。ここで用いる図面は、図１から図９である。
まず、図６から図９を用いて、本実施形態における衛生用品収納装置１について説明し、続いて図１から図５を用いてその制御方法を説明する。
【００２９】
（図６から図９）
本実施形態の衛生用品収納装置１は、図６に示したように、収納部１００と、該収納部１００の上部に装着されるパッケージ装置１０と、表示手段としての液晶モニタ等からなるモニタ２００とを有して構成される。
【００３０】
収納部１００は、図６および図７に示したように、内部空間に適宜量の使用済みの衛生用品を収容する箱状のものである。本実施形態では、略直方体状の中空に形成しているが、パッケージ装置１０を上部に装着でき、かつ、衛生用品を所定量収容できるものであれば、形状は限定されるものではない。
【００３１】
パッケージ装置１０は、投入口２４からユーザが投入した使用済みの衛生用品をパッケージして収納部１００へ収納する装置であり、図７から図９に示したように、枠部材２０、フィルム供給ローラ３０，４０、フィルム引き出しローラ５０，６０及びモータ（駆動部）７０を有して構成される。
【００３２】
枠部材２０は、フィルム供給ローラ３０，４０及びフィルム引き出しローラ５０，６０を回転可能に軸支できるものであればよく、その構造及び形状は限定されるものではない。本実施形態では、図８に示したように、正面板部２１、背面板部２２及び対向する２つの側板部２３，２３を備えたものを用い、対向する側板部２３，２３間に各ローラ３０〜６０を回転可能に掛け渡し配設している。
【００３３】
パッケージ装置１０は、図７に示したように、下端の開口部２５を収納部１００の上部へ取り外し可能に装着し、当該下端の開口部２５と収納部１００における上端の開口部１１０とが連通するように装着される。
【００３４】
枠部材２０の任意の位置、例えば、上面には、投入口２４が形成されており、該投入口２４から処理対象物としての衛生用品が投入されると、上記下端開口部２５を経て、収納部１００に収容される。なお、投入口２４は、処理対象物を上記フィルム供給ローラ３０，４０間に送り込むことができるように設けられていればよく、その形成位置や構造は限定されるものではない。
【００３５】
フィルム供給ローラ３０，４０は、上記したように枠部材２０の側板部２３，２３間に掛け渡されると共に、互いに所定間隔離間して並列に対向配置される。処理対象物である衛生用品が、対向するフィルム供給ローラ３０，４０間を通過可能に設けられている。フィルム供給ローラ３０，４０は、両者間に投入される処理対象物を密封するためのフィルムを供給するものであり、所定長で所定幅のフィルム３１，４１が巻回されている。フィルム３１，４１の種類、材質は限定されるものではないが、処理対象物を挟み込むようにして密封するものであるため、対向するフィルム面同士が接合した際に密着する性質を有する必要がある。
【００３６】
フィルム引き出しローラ５０，６０の少なくとも一方の端部間には、弾性部材としてのバネ（図示せず）が掛け渡されており、両者を常態において接近方向に付勢している。これによって、フィルム引き出しローラ５０，６０を離間させる方向に所定以上の負荷が働いた場合、例えば、基準以上の体積のゴミが投入された場合や人為的に大きな力が加わった場合などには、両者が離間する。よって、モータ７０への過負荷を防止し、故障を低減することができる。
【００３７】
モータ７０は、枠部材２０内の正面板部２１と他方のフィルム引き出しローラ６０との隙間に配設されている。モータ７０の出力軸、ギヤ等の回転出力部と他方のフィルム引き出しローラ６０の回転軸６１との間に駆動ベルト７１を掛け回し、モータ７０の動力が他方のフィルム引き出しローラ６０に伝達される構成となっている。
【００３８】
モータ７０の電源は任意であるが、本実施形態では、電池８０を用いている。なお、モータ７０を駆動させる電源として、コンセントから供給することも可能である。但し、電池８０をモータ７０の電源とすれば、パッケージ装置１０の設置場所周辺にコンセントが無い場合にコードレスとして利用でき、また、持ち運びにも便利である。
【００３９】
衛生用品収納装置１のメインスイッチ１０ａは、衛生用品収納装置１が設置される場所（例えば、トイレ）の壁部に設けられる。メインスイッチ１０ａをＯＮにすると、パッケージ装置１０のモータ７０が駆動可能な状態となる。パッケージ装置１０ａには、投入口２４から衛生用品が投入されたことを検知する検出センサ８１が、投入口２４付近に設けられている（図８および図９参照）。この検出センサ８１は、光センサ、重量センサ等から構成でき、メインスイッチ１０ａがＯＮの状態において、検出センサ８１が衛生用品の投入口２４の通過を検出すると、モータ７０が駆動し、フィルム引き出しローラ５０，６０を回転駆動させる。したがって、メインスイッチ１０ａがＯＦＦ状態のままでは、投入口２４に衛生用品を投入してもモータ７０は駆動せず、衛生用品も投入口２４に留まったままとなる。そのため、メインスイッチ１０ａをある程度高い位置に、具体的には、大人が操作可能な高さであるが、子供では手が届かない位置に設けることで、子供による誤った使い方を抑制できる。
【００４０】
なお、検出センサ８１を構成する光センサや重量センサは、単に、衛生用品の通過を検知するだけでなく、上記したように投入数カウント手段の構成部品として用いられる。
【００４１】
表示手段としてのモニタ２００は、人感センサ等によって人の接近を検知したり、あるいは、タイマーによって適宜のタイミングで表示画面が明るくなり、衛生用品収納装置１の使い方などの情報を表示する。衛生用品収納装置１の使い方としては、例えば、メインスイッチ１０ａを押して、投入口２４に使用済みの衛生用品を入れてください、といった説明であり、音声と共に表示することができる。モニタ２００は、上記制御プログラムがインストールされた制御部３００と接続されており、制御プログラムによって所定の表示をするように制御される。なお、制御プログラムがインストールされた制御部３００は、図６に示したようにパッケージ装置１０に内蔵させてもよいし、モニタ２００に内蔵して構成することもできる。また、パッケージ装置１０やモニタ２００とは独立したコンピュータに制御プログラムをインストールし、当該コンピュータを制御部として用いることもできる。さらに、後述の管理者端末（コンピュータ）に制御プログラムをインストールし、当該管理者端末自体を衛生用品収納装置１の制御部として構成することも可能である。
【００４２】
（図１）
続いて、図１に基づいて説明する。
「管理者端末（コンピュータ）」とは、衛生用品収納装置１を管理する主体に係る端末（サーバ）である。「広告主端末（コンピュータ）」とは、衛生用品収納装置１のモニタ２００を使って広告宣伝や情報提供を管理者へ依頼する主体に係る端末（サーバ）である。「ユーザ」とは、衛生用品収納装置１を使用すると共に、そのモニタ２００に表示される情報を閲覧したりする人である。なお、モニタ２００への広告表示は、原則として広告主から広告データの表示依頼があった場合になされることになるが、衛生用品収納装置１の使用方法に関する説明は予め必ず表示されるように設定されている。
【００４３】
衛生用品収納装置１を利用しようというユーザが近づくと、例えば人感センサが節電モードになっているモニタ２００を明るくして、表示画面をユーザが閲覧しやすいようにする。このときの表示画面は、この衛生用品収納装置１の使用上の注意事項、使用手順などが表示される。音声を用いて差し支えない場所に衛生用品収納装置１が設置されている場合には、スピーカから音声ガイダンスを発することとしてもよい。
【００４４】
使用上の注意事項などが表示された後には、広告主から提供された広告が表示される。広告主が例えば衛生用品の製造メーカの場合には、生理用品、紙おむつ等の新製品情報を表示することができる。また、広告主が、衛生用品収納装置１を設置しているトイレの提供者、例えば、デパート、スーパーなどの場合には、それらのデパートやスーパーでの特売情報、専門店情報、テナント情報、催し物情報等を表示することもできる。なお、表示の前提として、例えば、広告主端末から、表示すべき広告データが、管理者端末に送信されており、この広告データが、管理者端末からモニタ２００を制御する衛生用品収納装置１の制御部３００へ送信されてモニタ２００に表示される。
【００４５】
使用説明として、例えば、メインスイッチ１０ａを押して、投入口２４に使用済みの衛生用品を入れてください、といった説明があったならば、ユーザは、衛生用品収納装置１を初めて使う場合でも、その使用説明に従うことで、メインスイッチ１０ａを押し、使用済みの衛生用品を投入口２４に投入するという順番で正しく使用することができる。ユーザが使用済みの衛生用品を投入口２４から投入すると、投入口２４近傍に設置されていた投入数カウント手段を構成する検出センサ８１（図１では「光センサ」）にて、衛生用品が投入された旨が検出される。それによりモータ７０が駆動し、使用済みの衛生用品は、フィルム３１，４１間に挟まれ、フィルム引き出しローラ５０，６０間を通過することによって、フィルム３１，４１同士が密着し、さらに、フィルム３１，４１は衛生用品の表面にも密着し、衛生用品を密封して収納部１００に収納していく。フィルム３１，４１はカットされずに連続したままであるため、各衛生用品は、数珠つなぎのような状態で、収容部１００内に収容されていく（図６および図７参照）。
【００４６】
一方、検出センサ８１である光センサによって検出された信号は、上記制御プログラムの投入数カウント手順の実行による投入数カウント手段によってその検出回数がカウントされる。この検出回数は衛生用品の投入数となり、残量算出手段（残量算出手順）は、この投入数データに基づいて、衛生用品収納装置１における消耗品（例えば、フィルム３１，４１）の残量（残りの長さ）を算出する。そして、その残量は、残量送信手段（残量送信手順）により適宜のタイミングにて管理者端末へ送信される。
残量を受信した管理者端末においては、消耗品を準備し、管理者が適宜のタイミングにて補充作業へ出向く。
【００４７】
（図２）
続いて、図２に基づいて、他の実施形態を説明する。
この実施形態においては、衛生用品収納装置１の投入口２４近傍に設置されている検出センサ８１とともに、識別子としての例えばバーコードを読み取るバーコードリーダが設置されたものである。バーコードリーダは、使用済み状態となった衛生用品の外表面へ、製造メーカ、製品の種類（サイズ、グレード、製造年月日等）などがバーコードにて表示されている場合に、そのバーコードのデータを読み取る。
【００４８】
図２に示す実施形態においては、バーコードリーダが読み取ったコードデータを、識別子データ送信手段（識別子データ送信手順）が広告主端末へ直接送信することとして図示している。この広告主は、例えば衛生用品の製造メーカ（またはその製造メーカから委託されたマーケティング会社）である。コードデータを受信して分析し、分析後のデータを分析データベースに蓄積する。
【００４９】
（図３）
続いて、図３に基づいて、他の実施形態を説明する。
この実施形態においては、バーコードリーダが読み取ったコードデータを、識別子データ送信手段（識別子データ送信手順）が、広告主端末に直接送信するのではなく、管理者端末へ送信するものである。
管理者端末では、コードデータをコードデータベースに蓄積し、適宜のタイミングにてコードデータを広告主端末へ送信することとしている。それにより、広告主端末の稼働負荷を軽減できるとともに、広告主もデータ処理作業を適宜のタイミングのみ行えば済む。なお、送信先としては、管理者との契約や広告主との契約等により、広告主端末に限らず、このコードデータを欲する各種の事業者に係る端末（サーバ）に送信する構成とすることも可能である。
【００５０】
なお、識別子としてＩＣチップ等が格納されている衛生用品が流通する場合には、バーコードリーダ以外にも、ＩＣチップ等のデータを読み取る読み取り装置を、併せて備える構成とすることができる。
【００５１】
（図４）
続いて、図４に基づいて、他の実施形態を説明する。
この実施形態においては、衛生用品収納装置１の投入口２４の近傍に設置されている検出センサ８１として、投入された物の重量を計測できる重量センサを設置している。所定の重さを検出すると、投入されたことの検出信号を出力する。なお、検出センサ８１は、重量センサのみであってもよいし、光センサと併設することも可能であり、それにより、検出精度を高めることができる。
【００５２】
上記制御プログラムがインストールされる制御部３００には、使用済みの衛生用品の重量として適正重量の範囲を予め記憶している記憶部が設けられているとともに、重量センサによって検出された重量データが上記記憶部に記憶された適正重量の範囲であるか否かを判断する重量判断手段（重量判断手順）とを備えている。適正重量は、使用済みの衛生用品として、例えば統計的に定められた重量であり、女性用の生理用品、紙おむつなど、衛生用品の種別毎に上記記憶部に設定される。衛生用品の種別は、衛生用品に付設された識別子を読み取り装置で読み取ることによって判定できる。そして、その重量判断手段による判断結果が適正重量ではないと判定された場合、例えば、適正重量範囲を遙かに超えていたりする場合には、前記のモニタ２００へ警告データを表示させる。スピーカを併設している場合には、警告音や警告アナウンスを出力させることとしても良い。結果として、使用済みの衛生用品以外のものが投入される事態を抑制することに寄与する。
【００５３】
重量センサによって検出された重量データは、重量データ送信手段（重量データ送信手順）が管理者端末へ送信する。そして、その端末においては、衛生用品の重量データを重量データベースへ蓄積する。この実施形態においては、管理者端末において、蓄積した重量データを分析することまでを実行している。
なお、蓄積した重量データは、管理者との契約により、モニタ２００の広告主、あるいは、衛生用品の製造メーカその他の事業者へ、契約に基づいて提供することとしても良い。
【００５４】
（図５）
図５には、投入された使用済みの衛生用品から得たコードデータと、重量センサにて取得した重量データとを管理者端末へ蓄積し、広告主端末へ送信する様子を概念的に示している。
【００５５】
広告主が衛生用品の製造メーカである場合、コードデータおよび重量データは、マーケティング分析に用いることができる。たとえば、コードデータによって、たとえばライバルメーカの製品がどの程度使われているか、といったことを把握することができる。
【００５６】
重量データについては、たとえば、以下のようなことが考えられる。
まず、投入された衛生用品が乳幼児用の使い捨ておむつであり、衛生用品収納装置１が設置された場所がデパートのトイレであったとする。すると、そのデパートでは、どの程度の頻度でおむつを交換するのか、ということが把握できる。すなわち、そのおむつを使用している乳幼児が用を足した回数を推定する、といったことが可能となる。したがって、管理者（デパート、あるいは、デパートから管理委託を受けた業者）は、そのデータに基づいて、衛生用品収納装置１のメンテナンス頻度、トイレの清掃回数等を調整でき、維持管理費用の低減に寄与できる。
【産業上の利用可能性】
【００５７】
本願発明は、衛生用品収納装置の製造業、衛生用品の製造業、衛生用品を含むゴミの回収業、衛生用品を含むゴミに関するデータを収集、送信したり解析したりするデータサービス業、衛生用品収納装置やその管理を担う各種サーバへコンピュータプログラムを提供するプログラムサービス業などにおいて、利用可能性を有する。
【符号の説明】
【００５８】
１  衛生用品収納装置
１０  パッケージ装置
３０，４０  フィルム供給ローラ
５０，６０  フィルム引き出しローラ
７０  モータ（駆動部）
１００  収容部
２００  モニタ
３００  制御部
【図１】
2015151240.tif 000003
【図２】
2015151240.tif 000004
【図３】
2015151240.tif 000005
【図４】
2015151240.tif 000006
【図５】
2015151240.tif 000007
【図６】
2015151240.tif 000008
【図７】
2015151240.tif 000009
【図８】
2015151240.tif 000010
【図９】
2015151240.tif 000011